(57)【要約】      （修正有）【課題】パソコンテーブルのパーツの組み立て工程を節約でき、また、卓板を、より小さい体積に折畳むことができ、運搬コストを低減できるパソコンテーブルの卓板構造を提供する。【解決手段】底面に、固定板が設置される卓板１と、定位孔１１１と円弧溝１１２が形成され、該円弧溝の両端に、傾斜溝と係止溝が設置される固定板１１と、前側辺において、固定板の定位孔に挿入され、可動的に設置される弾性係止部材１３１が設置され、後側辺において、卓板に、可動的に可動支持棒が設置される引き出し板１３と、が含有され、卓板に引き出し板が、弾性係止部材によって結合されるため、パソコンテーブルのパーツ組み立て工程を低減できるだけでなく、卓板１を、より小さい体積に折畳むことができる。  【選択図】図２
0003164072.tif 000002
【実用新案登録請求の範囲】
【請求項１】
底面に、固定板が設置される卓板と、
定位孔と円弧溝が形成され、上記円弧溝の両端に、傾斜溝と係止溝が設置される固定板と、
前側辺において、固定板の定位孔に挿入され、可動的に設置される弾性係止部材が設置され、後側辺において、卓板に、可動自在に可動支持棒が設置される引き出し板と、
が含有され、
卓板に引き出し板が、弾性係止部材によって結合されるため、手動で、弾性係止部材を押すと、その一端が、傾斜溝から脱離し、また、円弧溝を介して、係止溝まで摺動し、弾性係止部材を離すと、弾力作用により、係止溝に係合されて定位し、折り戻す時、再度、手動で、弾性係止部材を押すと、その一端が、係止溝から脱離し、また、円弧溝を介して、傾斜溝まで摺動し、それから、弾性係止部材を離すと、弾力作用により、傾斜溝に係合されて定位する、
ことを特徴とするパソコンテーブルの卓板構造。
【請求項２】
卓板の底部に、係合シートとロックシートが設置され、また、結合ピンによって結合されるフレームと辺フレームがあり、また、その前端に、溝槽が形成され、卓板の係合シートが、溝槽に挿入されて後へ摺動することによって係合されて定位され、また、ロックシートと辺フレームとが、摘みによりロックされて固定されることを特徴とする請求項１に記載のパソコンテーブルの卓板構造。
【考案の詳細な説明】
【技術分野】
【０００１】
本考案は、パソコンテーブルの卓板構造に関するものであり、さらに詳しくは、構成が簡単で、取扱いが容易であるパソコンテーブルの卓板構造に関するものである。
【背景技術】
【０００２】
一般に、多くの情報を収集し、利用可能で快適な生活を送るために、住宅内に各種の家具、例えば、テレビやパソコンなどを備えつけている。
しかし、上記の設備は、通常、組み立てることが必要であることが多く、また、大きい空間を占有するものが多い。例えば、一般のパソコンテーブルは、分解することはできるが、パーツの点数が多く、また、孔部を有する部材やネジが合わない場合には、組み立てることができなくなるという不都合が生じる。さらに、折畳みができない構造のものであれば、運搬コストが高くなるという問題がある。
【考案の開示】
【考案が解決しようとする課題】
【０００３】
従って、本考案の主な目的は、卓板と引き出し板を、弾性係止部材で、可動自在に結合して、パソコンテーブルのパーツの組み立て工程を節約でき、また、卓板を、より小さい体積に折畳むことができ、運搬コストを低減できるパソコンテーブルの卓板構造を提供することにある。
【０００４】
本考案の他の目的は、卓板の底部に、係合シートとロックシートが設置され、また、結合ピンによって結合されるフレームと辺フレームがあり、また、その前端に、溝槽が形成され、卓板の係合シートが、溝槽に挿入されて後へ摺動することによって係合されて定位され、また、ロックシートと辺フレームとが、摘みによりロックされて固定され、パソコンテーブルの組み立てがより簡単的になり、また、運搬コストが低減されることができるパソコンテーブルの卓板構造を提供することにある。
【課題を解決するための手段】
【０００５】
かくして、請求項１の考案によれば、底面に、固定板が設置される卓板と、
定位孔と円弧溝が形成され、上記円弧溝の両端に、傾斜溝と係止溝が設置される固定板と、
前側辺において、固定板の定位孔に挿入され、可動的に設置される弾性係止部材が設置され、後側辺において、卓板に、可動自在に可動支持棒が設置される引き出し板と、
が含有され、
卓板に引き出し板が、弾性係止部材によって結合されるため、手動で、弾性係止部材を押すと、その一端が、傾斜溝から脱離し、また、円弧溝を介して、係止溝まで摺動し、弾性係止部材を離すと、弾力作用により、係止溝に係合されて定位し、折り戻す時、再度、手動で、弾性係止部材を押すと、その一端が、係止溝から脱離し、また、円弧溝を介して、傾斜溝まで摺動し、それから、弾性係止部材を離すと、弾力作用により、傾斜溝に係合されて定位する、
ことを特徴とするパソコンテーブルの卓板構造が提供される。
【０００６】
請求項２の考案によれば、卓板の底部に、係合シートとロックシートが設置され、また、結合ピンによって結合されるフレームと辺フレームがあり、また、その前端に、溝槽が形成され、卓板の係合シートが、溝槽に挿入されて後へ摺動することによって係合されて定位され、また、ロックシートと辺フレームとが、摘みによりロックされて固定されることを特徴とする請求項１に記載のパソコンテーブルの卓板構造が提供される。
【考案の効果】
【０００７】
本考案によれば、前記のパソコンテーブル構成からなり、パソコンテーブルの組み立ておよび取り外しの効率化が可能であり、特に、卓板をより小さい体積になるように折り畳み可能なものとし、運搬コストの低減にもつながるものと考えられる。
【考案を実施するための最良の形態】
【０００８】
以下、図面を参照しながら、本考案の特徴や技術内容について、詳しく説明するが、それらの図面等は、参考や説明のためであり、本考案は、それによって限定されるものではない。
【０００９】
図１〜図５に示すように、本考案は、底面に、固定板１１が設置される卓板１と、定位孔１１１と円弧溝１１２が形成され、上記円弧溝１１２の両端に、傾斜溝１１３と係止溝１１４が形成される固定板１１と、前側辺において、固定板１１の定位孔１１１に挿入され、可動自在に弾性係止部材１３１が設置される。後側辺において、卓板１１に、可動自在に可動支持棒１３２が設置される引き出し板１３と、が含有される。卓板１に引き出し板１３が、弾性係止部材１３１によって結合されるため、手動で、弾性係止部材１３１を押すと、その一端が、傾斜溝１１３から脱離する。また、円弧溝１１２を介して、係止溝１１４まで摺動し、弾性係止部材１３１を離すと、弾力作用により、係止溝１１４に係合されて定位し、折戻す時、再度、手動で、弾性係止部材１３１を押すと、その一端が、係止溝１１４から脱離し、また、円弧溝１１２を介して、傾斜溝１１３まで摺動する。次いで、弾性係止部材１３１を離すと、弾力作用により、傾斜溝１１３に係合されて定位する。このような設計によれば、パソコンテーブルのパーツ組み立て工程を低減できるだけでなく、卓板１を、より小さい体積に折畳むことができ、運搬コストを低減することができる。
【００１０】
また、図６〜図１０に示すように、本考案によれば、卓板１の底部に、係合シート１４とロックシート１５が設置され、結合ピン２１１によって結合されるフレーム２と辺フレーム２１があり、また、その前端に、溝槽２２が形成され、卓板１の係合シート１４が、溝槽２２に挿入されて後へ摺動することにより係合されて定位する。また、ロックシート１５と辺フレーム２１とが、摘み２１２によりロックされて固定され、このような設計により、パソコンテーブルの組み立てや取り外すことが簡単になり、また、運搬コストが低減される。
【００１１】
以上は、ただ、本考案のより良い実施例であり、本考案は、それらによって限定されることが無く、本考案に係わる考案登録請求の範囲や明細書の内容に基づいて行った等価の変更や修正は、全てが、本考案の考案登録請求の範囲内に含まれる。
【図面の簡単な説明】
【００１２】
【図１】本考案の一実施形態によるパソコンテーブルの卓板の斜視図である。
【図２】本考案の一実施形態によるパソコンテーブルの卓板の局部拡大概念図である。
【図３】本考案の一実施形態によるパソコンテーブルの卓板の卓板側面組立て概念図である。
【図４】本考案の一実施形態によるパソコンテーブルの卓板の展開作動の概念図である。
【図５】本考案の一実施形態によるパソコンテーブルの卓板の展開の概念図である。
【図６】本考案の一実施形態によるパソコンテーブルの卓板の分解概念図である。
【図７】本考案の一実施形態によるパソコンテーブルの卓板の上面断面概念図である。
【図８】本考案の一実施形態によるパソコンテーブルの卓板の局部拡大概念図である。
【図９】本考案の一実施形態によるパソコンテーブルの卓板の立体概念図である。
【図１０】本考案の一実施形態によるパソコンテーブルの卓板の折畳み状態の概念図である。
【符号の説明】
【００１３】
１  卓板
１１  固定板
１１１  定位孔
１１２  円弧溝
１１３  傾斜溝
１１４  係止溝
１３  引き出し板
１３１  弾性係止部材
１３２  可動支持棒
１４  係合シート
１５  ロックシート
２  フレーム
２１  辺フレーム
２１１  結合ピン
２１２  摘み
２２  溝槽
【図１】
0003164072.tif 000003
【図２】
0003164072.tif 000004
【図３】
0003164072.tif 000005
【図４】
0003164072.tif 000006
【図５】
0003164072.tif 000007
【図６】
0003164072.tif 000008
【図７】
0003164072.tif 000009
【図８】
0003164072.tif 000010
【図９】
0003164072.tif 000011
【図１０】
0003164072.tif 000012